(57)【要約】【課題】  柱梁接合部の囲み板工法を対象に、囲み板を構造材として利用し、かつ、柱主筋の付着性能を確保し、施工コストを削減しつつ強固な柱梁接合部を得ること。【解決手段】  柱梁接合部１０において２つのＳ造梁１２はＲＣ造柱１４を貫通している。ＲＣ造柱１４は断面が矩形で、２つのＳ造梁１２はＲＣ造柱１４の断面の中央で直交しており、２つのＳ造梁１２はＲＣ造柱１４の４つの側面の中央を貫通している。柱梁接合部１０においてＳ造梁１２に溶着されてＲＣ造柱２２の４つの側面を構成する鋼製の囲み板２２が設けられている。囲み板２２の４つの角部２２Ａとそれら各角部２２Ａの内側に臨む２つのＳ造梁１２とで区画されるＲＣ造柱２２の箇所に上下に延在する複数の柱主筋３０が挿通されている。柱主筋３０が囲み板２２の内側に位置する部分は、スパイラル筋３０Ａとして形成されている。【選択図】図３
2007247173.tif 000002
【特許請求の範囲】
【請求項１】
２つのＳ造梁が交差する箇所にＲＣ造柱が通る柱梁接合部の構造であって、
前記柱梁接合部において２つのＳ造梁は前記ＲＣ造柱を貫通しており、
前記ＲＣ造柱は断面が矩形で前記２つのＳ造梁は前記ＲＣ造柱の断面の中央で直交し前記２つのＳ造梁は前記ＲＣ造柱の４つの側面の中央を貫通しており、
前記柱梁接合部において前記Ｓ造梁に溶着されて前記ＲＣ造柱の４つの側面を構成する鋼製の囲み板が設けられ、
前記囲み板の４つの角部とそれら各角部に臨む２つのＳ造梁とで区画される前記ＲＣ造柱の箇所に上下に延在する複数の柱主筋が挿通されており、
前記柱主筋が前記囲み板の内側に位置する部分はスパイラル筋として形成されている、
ことを特徴とする柱梁接合部の構造。
【請求項２】
前記囲み板は、均一の厚さの平坦な平板により形成されていることを特徴とする請求項１記載の柱梁接合部の構造。
【発明の詳細な説明】
【技術分野】
【０００１】
本発明は、柱を鉄筋コンクリート（ＲＣ）造、梁を鉄骨（Ｓ）造としたハイブリット構造の柱梁接合部の構造に関するものである。
【背景技術】
【０００２】
図４に示すように、ＲＣ造柱５２とＳ造梁５４で構成されたハイブリット構造の柱梁接合部５０は、Ｓ造梁５４がＲＣ造柱５２を貫通し、柱梁接合部５０を構成するＲＣ造柱５２の周囲を囲み板５６により取り囲んだものがある。
そして、強固な柱梁接合部５０を得るために、図５に示すように、囲み板５６の内面にコッター筋５８を溶接したもの（特許文献１）、あるいは、縞付き鋼板を囲み板５６に使用したものがある。
【特許文献１】特許第２９７９０４１号
【発明の開示】
【発明が解決しようとする課題】
【０００３】
しかしながら、囲み板５６の内面にコッター筋５８を溶接する従来の技術では、溶接作業に手間取り、コストダウンを図れない不具合があった。
また、囲み板５６として縞付き鋼板を使用する従来技術では、縞付き鋼板を構造材として利用する場合にはＪＩＳ規格品が現状では生産されていないこと、ＪＩＳ規格相当品は生産されているものの一般には流通しておらず入手が困難であること、また、ＪＩＳ規格相当品は高価でありコストダウンを図れない不具合があった。
本発明は前記事情に鑑み案出されたものであって、本発明の目的は、柱梁接合部の囲み板工法を対象に、囲み板を構造材として利用し、かつ、柱主筋の付着性能を確保し、施工コストを削減しつつ強固な柱梁接合部を得ることにある。
【課題を解決するための手段】
【０００４】
前記目的を達成するため本発明は、２つのＳ造梁が交差する箇所にＲＣ造柱が通る柱梁接合部の構造であって、前記柱梁接合部において２つのＳ造梁は前記ＲＣ造柱を貫通しており、前記ＲＣ造柱は断面が矩形で前記２つのＳ造梁は前記ＲＣ造柱の断面の中央で直交し前記２つのＳ造梁は前記ＲＣ造柱の４つの側面の中央を貫通しており、前記柱梁接合部において前記Ｓ造梁に溶着されて前記ＲＣ造柱の４つの側面を構成する鋼製の囲み板が設けられ、前記囲み板の４つの角部とそれら各角部に臨む２つのＳ造梁とで区画される前記ＲＣ造柱の箇所に上下に延在する複数の柱主筋が挿通されており、前記柱主筋が前記囲み板の内側に位置する部分はスパイラル筋として形成されていることを特徴とする。
【発明の効果】
【０００５】
本発明では、柱梁接合部において、フープ筋などを省略して囲み板をせん断補強材として利用し、かつ、柱主筋が囲み板の内側に位置する部分をスパイラル筋とすることで柱主筋の付着性能を確保するようにした。
したがって、従来のようなコッター筋の溶接作業を省き、縞付き鋼板を使用する必要もなく、強固な柱梁接合部を簡単に安価に得る上で有利となる。
【発明を実施するための最良の形態】
【０００６】
以下、本発明の実施の形態を図面にしたがって説明する。
図１は本実施の形態の柱梁接合部の斜視図、図２は本実施の形態の柱梁接合部の断面平面図、図３は本実施の形態の柱梁接合部の断面正面図を示す。
本発明は、２つのＳ造梁１２が直交する箇所にＲＣ造柱１４が通る柱梁接合部１０の構造である。
柱梁接合部１０において２つのＳ造梁１２はＲＣ造柱１４を貫通している。
ＲＣ造柱１４は断面が矩形で、２つのＳ造梁１２はＲＣ造柱１４の断面の中央で直交しており、２つのＳ造梁１２はＲＣ造柱１４の４つの側面の中央を貫通している。
Ｓ造梁１２は本実施の形態ではＩ型鋼からなり、Ｓ造梁１２はウェブ１２Ａとフランジ１２Ｂを有している。
【０００７】
柱梁接合部１０においてＳ造梁１２に溶着されてＲＣ造柱２２の４つの側面を構成する鋼製の囲み板２２が設けられている。
前記囲み板２２は、均一の厚さの平坦な平板を用いて形成され、ＲＣ造柱２２の断面形状に対応して矩形枠状を呈し、囲み板２２の４つの側面は、ＲＣ造柱２２の表面と同一面上を延在している。
囲み板２２は、より詳細には、平坦な平板がＬ字状に直角に折り曲げられた部材２２０２が４つ用いられて構成されている。
【０００８】
囲み板２２の４つの角部２２Ａとそれら各角部２２Ａの内側に臨む２つのＳ造梁１２とで区画されるＲＣ造柱２２の箇所に上下に延在する複数の柱主筋３０が挿通されている。
そして、柱主筋３０が囲み板２２の内側に位置する部分は、スパイラル筋３０Ａとして形成されている。
【０００９】
本実施の形態によれば、柱梁接合部１０において、フープ筋などを省略して囲み板２２をせん断補強材として利用し、かつ、柱主筋３０が囲み板２２の内側に位置する部分をスパイラル筋３０Ａとすることで柱主筋３０の付着性能を確保するようにした。
したがって、従来のようなコッター筋の溶接作業を省略でき、また、縞付き鋼板を使用する必要もなく、強固な柱梁接合部１０を簡単に安価に得る上で有利となる。
【００１０】
また、本実施の形態では、囲み板２２を、均一の厚さの平坦な平板を用いて形成したので、囲み板を構造材として利用する際のＪＩＳ規格品を使用できる。
したがって、囲み板２２を構成する平板を安価に簡単に入手でき、ＪＩＳ規格に基づいた強固な柱梁接合部１０を得る上で有利となる。
【図面の簡単な説明】
【００１１】
【図１】本実施の形態の柱梁接合部の斜視図である。
【図２】本実施の形態の柱梁接合部の断面平面図である。
【図３】本実施の形態の柱梁接合部の断面正面図である。
【図４】従来の柱梁接合部の斜視図である。
【図５】従来の柱梁接合部の断面正面図である。
【符号の説明】
【００１２】
１０……柱梁接合部、１２……Ｓ造梁、１４……ＲＣ造柱、２２……囲み板、３０……柱主筋、３０Ａ……スパイラル筋。
【図１】
2007247173.tif 000003
【図２】
2007247173.tif 000004
【図３】
2007247173.tif 000005
【図４】
2007247173.tif 000006
【図５】
2007247173.tif 000007